(57)【要約】      （修正有）【課題】商用交流電源と非常用直流電源とを切り替える回路、および起動制御のための回路を統合したエレベータの電源切り替え制御装置を提供する。【解決手段】商用交流電源１０を直流に変換するコンバータ１４と、コンデンサ１５と、インバータ１７と、駆動用電動機１８と、エレベータが運転中に付勢される主接点１１、および平滑コンデンサ充電用抵抗１３と主接点が付勢される直前に付勢される副接点１２との直列回路を備えた第１のスイッチ回路と、非常用直流電源２０とコンバータ間に挿入され、エレベータが非常運転中に付勢される主接点２１、および主接点と並列に接続された、平滑コンデンサ充電用抵抗２３と非常用主接点が付勢される直前に付勢される副接点２２との直列回路を備えた第２のスイッチ回路を備え、商用電源停電時には非常用直流電源に接続された第２のスイッチ回路を介してコンバータに給電を行う。【選択図】図１
2011032055.tif 000002
【特許請求の範囲】
【請求項１】
商用交流電源を直流に変換するコンバータと、該コンバータ出力を平滑するコンデンサと、平滑された直流を交流に変換するインバータと、該インバータの出力である交流で駆動されるエレベータ駆動用電動機と、
前記商用交流電源と前記コンバータ間に挿入され、エレベータが運転中に付勢される主接点、および前記主接点と並列に接続された、平滑コンデンサ充電用抵抗と前記主接点が付勢される直前に付勢される副接点との直列回路を備えた第１のスイッチ回路と、
非常用直流電源と前記コンバータ間に挿入され、エレベータが非常運転中に付勢される主接点、および該主接点と並列に接続された、平滑コンデンサ充電用抵抗と前記非常用主接点が付勢される直前に付勢される副接点との直列回路を備えた第２のスイッチ回路を備え、
商用電源停電時には非常用直流電源に接続された前記第２のスイッチ回路を介して前記コンバータに給電を行うことを特徴とするエレベータの電源切り替え制御装置。
【請求項２】
商用交流電源を直流に変換するコンバータと、該コンバータ出力を平滑するコンデンサと、平滑された直流を交流に変換するインバータと、該インバータの出力である交流で駆動されるエレベータ駆動用電動機と、
前記商用交流電源と前記コンバータ間に挿入され、エレベータが運転中に付勢される商用電源用主接点、および前記主接点と並列に接続した平滑コンデンサ充電用抵抗と前記主接点が付勢される直前に付勢される副接点との直列回路を備えた第１のスイッチ回路と、
非常用直流電源と前記コンバータ間を開閉するとともにエレベータが非常運転中に付勢される非常電源用主接点、およびその一方端が前記非常用電源に接続され、その他方端が前記コンデンサ充電用抵抗に接続されるともに前記非常用主接点が付勢される直前に付勢される副接点を具備した第２のスイッチ回路とを備え、
前記商用電源停電時には、前記非常用主接点が付勢される直前に付勢される副接点の他方端および商用電源用主接点に並列に接続される平滑コンデンサ充電用抵抗を介して平滑コンデンサを充電することを特徴とするエレベータの電源切り替え制御装置。
【発明の詳細な説明】
【技術分野】
【０００１】
本発明は、エレベータの電源切り替え制御装置に係り、特に、商用交流電源と非常用直流電源とを切り替えるエレベータの電源切り替え制御装置に関する。
【背景技術】
【０００２】
従来、エレベータに電力を供給する商用電源が停電したとき、非常用電源としての蓄電池等をエレベータに接続して運転する電源切り替え回路が知られている（特許文献１参照）。
【０００３】
図３は、商用電源停電時における、従来のエレベータの電源切り替え制御回路を説明する図である。
【０００４】
図３において、商用電源１０が正常時には、励磁コイル１１ａを励磁して商用電源用主接点１１を閉路し、非常電源用主接点２１は開路している。エレベータ用電動機１８の起動に際しては、運転用主接点３１の閉路に先立って励磁コイル３２ａを励磁して副接点３２を閉路する。これにより商用電源１０は、商用電源用主接点１１、駆動用主接点３１に並列接続した副接点３２、および充電抵抗３３を介して平滑コンデンサ１５を初期充電する。
【０００５】
平滑コンデンサ１５の充電が進み、直流電圧検出器１６の出力が所定値をを示すと、制御回路４０は励磁コイル３１ａを励磁し、主接点３１を閉路する。
【０００６】
また、商用電源１０が停電した場合には、励磁コイル２１ａを励磁して非常電源用主接点２１を閉路し、商用電源用主接点１１を開路する。このとき、非常用直流電源２０は、主接点２１、主接点３１に並列接続した副接点３２、充電抵抗３３を介して平滑コンデンサ１５を初期充電する。
【０００７】
平滑コンデンサ１５の充電が進み、直流電圧検出器１６の出力が所定値をを示すと、制御回路４０は主接点３１の励磁コイル３１ａを励磁し、主接点３１を閉路する。
【先行技術文献】
【特許文献】
【０００８】
【特許文献１】特開２００２−１３７８７５号公報
【発明の概要】
【発明が解決しようとする課題】
【０００９】
従来の技術においては、エレベータの電源の切り替えに関する制御、すなわち商用電源用主接点１１と非常用電源用主接点２１の切り替え制御と、運転の為の制御すなわち運転用主接点３１の制御はそれぞれ独立して作用している。このため、商用電源と非常用電源とを切り替える商用電源用主接点および非常電源用主接点、および運転用主接点３１をそれぞれ用意する必要がある。
【００１０】
本発明はこれらの問題点に鑑みてなされたもので、商用交流電源と非常用直流電源とを切り替える回路、および運転制御のための回路を統合したエレベータの電源切り替え制御装置を提供する。
【課題を解決するための手段】
【００１１】
本発明は上記課題を解決するため、次のような手段を採用した。
【００１２】
商用交流電源を直流に変換するコンバータと、該コンバータ出力を平滑するコンデンサと、平滑された直流を交流に変換するインバータと、該インバータの出力である交流で駆動されるエレベータ駆動用電動機と、
前記商用交流電源と前記コンバータ間に挿入され、エレベータが運転中に付勢される主接点、および前記主接点と並列に接続された、平滑コンデンサ充電用抵抗と前記主接点が付勢される直前に付勢される副接点との直列回路を備えた第１のスイッチ回路と、
非常用直流電源と前記コンバータ間に挿入され、エレベータが非常運転中に付勢される主接点、および該主接点と並列に接続された、平滑コンデンサ充電用抵抗と前記非常用主接点が付勢される直前に付勢される副接点との直列回路を備えた第２のスイッチ回路を備え、
商用電源停電時には非常用直流電源に接続された前記第２のスイッチ回路を介して前記コンバータに給電を行う。
【発明の効果】
【００１３】
本発明は、以上の構成を備えるため、商用交流電源と非常用直流電源とを切り替える回路、および運転制御のための回路を統合したエレベータの電源切り替え制御装置を提供することができる。
【図面の簡単な説明】
【００１４】
【図１】第１の実施形態にかかるエレベータの電源切り替え制御回路を説明する図である。
【図２】第２の実施形態にかかるエレベータの電源切り替え制御回路を説明する図である。
【図３】従来のエレベータの電源切り替え制御回路を説明する図である。
【発明を実施するための形態】
【００１５】
以下、本発明の実施形態を添付図面を参照しながら説明する。図１は本発明の第１の実施形態を説明する図である。
【００１６】
図１において、商用電源１０が正常時においては、制御回路４０は、運転開始指令により副接触器励磁コイル１２ａを励磁し、副接点１２を閉路する。商用電源１０は、副接点１２、充電抵抗１３およびコンバータ１４を介して平滑コンデンサ１５を初期充電する。
【００１７】
平滑コンデンサ１５の充電が進み、直流電圧検出器１６の出力が所定値を示すと、制御回路４０は、主接触器励磁コイル１１ａを励磁して、商用電源用主接点１１を閉路する。この後、コンバータ１４、およびインバータ１７に駆動信号を供給すると、電動機１８を回転駆動して乗りかごを上昇または下降方向に駆動することができる。
【００１８】
一方、商用電源の停電時には、副接触器励磁コイル２２ａを励磁し、非常用電源用主接点２２と並列に配置した副接点２２を閉路する。これにより、非常用電源２０は、副接点２２、充電抵抗２３およびコンバータ１４を介して平滑コンデンサ１５を充電する。平滑コンデンサ１５の充電が進み、直流電圧検出器１６の出力が所定の値を示すと、制御回路４０は、主接触器励磁コイル２１ａを励磁して、主接点２１を閉路する。この後、コンバータ１４、およびインバータ１７に駆動信号を供給すると、電動機１８を回転駆動して乗りかごを上昇または下降方向に駆動することができる。
【００１９】
図２は本発明の第２の実施形態を説明する図である。本実施形態は、第１の実施形態における充電抵抗１３および２３を共用するものである。
【００２０】
図２において、商用電源１０が正常時においては、制御回路４０は、運転開始指令により副接触器励磁コイル１２ａを励磁し、副接点１２を閉路する。商用電源１０は、副接点１２、充電抵抗１３およびコンバータ１４を介して平滑コンデンサ１５を初期充電する。
【００２１】
平滑コンデンサ１５の充電が進み、直流電圧検出器１６の出力が所定値を示すと、制御回路４０は、主接触器励磁コイル１１ａを励磁して、接点１１を閉路する。この後、コンバータ１４、およびインバータ１７に制御信号を供給すると、電動機１８を回転駆動して乗りかごを上昇または下降方向に駆動することができる。
【００２２】
一方、商用電源の停電時には、副接触器励磁コイル２２ａを励磁し、非常用電源２０と充電抵抗１３を接続する副接点２２を閉路する。これにより、非常用電源２０は、副接点２２、充電抵抗１３およびコンバータ１４を介して平滑コンデンサ１５を充電する。平滑コンデンサ１５の充電が進み、直流電圧検出器１６の出力が所定の値を示すと、制御回路４０は、主接触器励磁コイル２１ａを励磁して、主接点２１を閉路する。この後、コンバータ１４、およびインバータ１７に制御信号を供給すると、電動機１８を回転駆動して乗りかごを上昇または下降方向に駆動することができる。
【００２３】
なお、コンバータ１４およびインバータ１７はそれぞれインバータおよびコンバータとして使用することが可能であり、この場合は電動機１８の電力を電源に回生することがかのである。
【００２４】
以上説明したように、本実施形態によれば、商用電源と非常用電源とを切り替えるための回路と運転制御のための回路を統合するので、接点の統合を図り、回路構成を簡略化することができる。
【符号の説明】
【００２５】
１０  商用電源
１１  商用電源用主接点
１２  副接点
１１ａ，１２ａ，２１ａ，２２ａ  電磁接触器励磁コイル
１３，２３  充電抵抗
１４  コンバータ
１５  平滑コンデンサ
１６  直流電圧検出器
１７  インバータ
１８  電動機
２０  非常用電源
２１  非常電源用主接点
２２  副接点  
４０  制御回路
【図１】
2011032055.tif 000003
【図２】
2011032055.tif 000004
【図３】
2011032055.tif 000005